(57)【要約】【課題】従来の電力量計では、１つの表示窓において全ての時間帯の各計量値を循環表示しているため、全ての計量値を見終えるまで時間がかかった。【解決手段】時間帯表示箇所１６ａに「１」、現在計量値表示箇所１６ｂに時間帯１の現在計量値「１３．７５」、計量確定値表示箇所１６ｃに時間帯１の計量確定値「２．３１」が組で同時に表示される。次に、時間帯表示箇所１６ａに「２」、現在計量値表示箇所１６ｂに時間帯２の現在計量値「２１．６３」、計量確定値表示箇所１６ｃに時間帯２の計量確定値「１３．７４」が組で同時に表示される。続いて、現在計量値表示箇所１６ｂに現在の日付「０７．２２」、計量確定値表示箇所１６ｃに現在の時刻「１９：３２」が組で同時に表示される。以後、各組の１通りの表示が循環される。【選択図】　図３
2004037142.tif 000002
【特許請求の範囲】
【請求項１】
異なる時間帯の使用電力量を計量する計量手段と、この計量手段によって計量された各時間帯の使用電力量の現在計量値および少なくとも１つの他の計量値を表示する表示手段とを備えた電力量計において、
前記表示手段は、各時間帯毎の前記現在計量値と少なくとも１つの前記他の計量値とを組で同時に表示し、これら各組の表示を循環させることを特徴とする電力量計。
【請求項２】
前記表示手段は、前記時間帯が表示される時間帯表示部と、この時間帯表示部に表示されている時間帯の前記現在計量値が表示される計量値表示部と、この現在計量値と前記組をなす少なくとも１つの前記他の計量値が表示される少なくとも１つの計量値表示部とを備えて構成されることを特徴とする請求項１に記載の電力量計。
【請求項３】
前記表示手段は前記組の複数の計量値が表示される１つの計量値表示部を備えて構成されることを特徴とする請求項１に記載の電力量計。
【請求項４】
前記表示手段は、前記現在計量値の表示箇所に現在の日付または現在の時刻、前記他の計量値の表示箇所に現在の時刻または現在の日付を組で同時に表示して、この組の表示を計量値の前記各組の表示と共に循環させることを特徴とする請求項１から請求項３のいずれか１項に記載の電力量計。
【請求項５】
少なくとも１つの前記他の計量値は、前記現在計量値を所定の時または所定のタイミング毎に確定して記憶した計量確定値であることを特徴とする請求項１から請求項４のいずれか１項に記載の電力量計。
【請求項６】
前記表示手段は、前記現在計量値の表示箇所または前記他の計量値の表示箇所に、前記計量確定値の確定日を表示し、この確定日の表示を計量値の前記各組の表示と共に循環させることを特徴とする請求項１から請求項５のいずれか１項に記載の電力量計。
【発明の詳細な説明】
【０００１】
【発明の属する技術分野】
本発明は、異なる時間帯の現在計量値と少なくとも１つの他の計量値とを表示する表示手段を備えた電力量計に関するものである。
【０００２】
【従来の技術】
従来、異なる計量時間帯の電力量を１台の計器で計量する場合、計量時間帯数分の複数の計量窓を設け、各計量窓に異なる計量時間帯の各電力量を表示していた。また、計量時間帯数分よりも少ない計量窓を設け、この計量窓に各電力量を循環表示、つまり、各電力量を順番に順次表示し、１通りの各電力量の表示を終えると以後これを繰り返す表示もしていた。
【０００３】
図１（ａ）は、各電力量を循環表示する従来の計量確定機能付電力量計の表示部の正面図である。計量確定機能付電力量計は、各時間帯の使用電力量の現在計量値を例えば毎月１日午前０時に確定し、確定した現在計量値を計量確定値として外部へ通信する。この電力量計の銘板１には、１日２４時間を例えば３つの時間帯に分割した各時間帯を１〜３の数値で表示する時間帯表示窓２が設けられている。時間帯表示窓２の下方には、各時間帯の現在計量値が循環表示される計量値表示窓３が設けられている。また、計量値表示窓３の右方には、現在の時刻を表示する現在時刻表示窓４が設けられている。
【０００４】
計量値表示窓３における循環表示は、例えば、次のように行われる。まず、同図（ｂ）に示すように時間帯「１」の現在計量値「３４．７２」〔ｋＷｈ〕が表示され、次に、同図（ｃ）に示すように時間帯「２」の現在計量値「５８．９６」〔ｋＷｈ〕が表示される。次に、同図（ｄ）に示すように時間帯「３」の現在計量値「１８．７３」〔ｋＷｈ〕が表示される。以後、この１通りの表示が繰り返され、各計量値の循環表示中、時間帯表示窓２にはその時の時間帯「１」，「２」，「３」、現在時刻表示窓４には現在の時刻「８：２１」が表示される。
【０００５】
【発明が解決しようとする課題】
上記従来の電力量計において、計量値表示窓３に計量確定値をも表示させる場合、各現在計量値の循環表示の後に、計量確定値であることを示すマークと、時間帯「１」の計量確定値、時間帯「２」の計量確定値、時間帯「３」の計量確定値とを順番に表示させる表示形態が考えられる。この表示形態では、各時間帯の現在計量値が順番に表示された後、各時間帯の計量確定値が順番に表示され、以後、この１通りの表示が繰り返される。
【０００６】
しかしながら、１つの計量値表示窓３において全ての時間帯の現在計量値および計量確定値を循環表示するこのような表示形態を採用した場合、全ての時間帯の各計量値を見終えるまで時間がかかり、電力量の検針者に負担を与えかねない。また、現在計量値および計量確定値に、さらに他の計量値を加えて表示させる場合、表示項目が増える分、循環表示の表示周期はさらに長くなり、検針業務の負担は増す。一方、計量時間帯数に応じて計量値表示窓を増設することは、電力量計の製作に手間を要し、また、スペースの制約上難しかった。
【０００７】
【課題を解決するための手段】
本発明は、このような課題を解決するためになされたもので、異なる時間帯の使用電力量を計量する計量手段と、この計量手段によって計量された各時間帯の使用電力量の現在計量値および少なくとも１つの他の計量値を表示する表示手段とを備えた電力量計において、表示手段が、各時間帯毎の現在計量値と少なくとも１つの他の計量値とを組で同時に表示し、これら各組の表示を循環させることを特徴とする。
【０００８】
このような構成によれば、現在計量値と少なくとも１つの他の計量値とが組で各時間帯毎に同時に表示されるため、各時間帯の現在計量値と少なくとも１つの他の計量値とが１つずつ循環されて表示される場合よりも、循環周期が短縮され、全ての計量値を１通り表示するのに要する時間は短くなる。
【０００９】
また、本発明は、表示手段が、時間帯が表示される時間帯表示部と、この時間帯表示部に表示されている時間帯の現在計量値が示される計量値表示部と、この現在計量値と組をなす少なくとも１つの他の計量値が表示される少なくとも１つの計量値表示部とを備えて構成されることを特徴とする。
【００１０】
このような構成においては、時間帯表示部に各時間帯が表示され、表示されている時間帯の現在計量値が計量値表示部に表示され、これと同時に、同じ時間帯の少なくとも１つの他の計量値が少なくとも１つの他の計量値表示部に表示される。
【００１１】
また、本発明は、表示手段が、組をなす複数の計量値が表示される１つの計量値表示部を備えて構成されることを特徴とする。
【００１２】
このような構成においては、１つの計量値表示部に各時間帯の現在計量値と少なくとも１つの他の計量値とが同時に表示される。
【００１３】
また、本発明は、表示手段が、現在計量値の表示箇所に現在の日付または現在の時刻、他の計量値の表示箇所に現在の時刻または現在の日付を組で同時に表示して、この組の表示を計量値の各組の表示と共に循環させることを特徴とする。
【００１４】
このような構成によれば、表示部を別途設けることなく、現在の日付および現在の時刻を表示することが出来る。
【００１５】
また、本発明は、少なくとも１つの他の計量値が、現在計量値を所定の時または所定のタイミング毎に確定して記憶した計量確定値であることを特徴とする。
【００１６】
このような構成においては、計量確定値が現在計量値と組で同時に表示される。
【００１７】
また、本発明は、表示手段が、現在計量値の表示箇所または他の計量値の表示箇所に、計量確定値の確定日を表示し、この確定日の表示を計量値の各組の表示と共に循環させることを特徴とする。
【００１８】
このような構成によれば、表示部を別途設けることなく、計量確定値の確定日を表示することが出来る。
【００１９】
【発明の実施の形態】
次に、本発明による電力量計を計量確定機能付電子式電力量計に適用した一実施形態について説明する。
【００２０】
図２（ａ）は、本実施形態による計量確定機能付電子式電力量計１０の外観を示す正面図である。電子式電力量計１０は、ガラスカバー１１に覆われた本体に端子盤１２を備えて構成されている。本体の内部には、異なる時間帯の使用電力量を計量する計量手段が設けられている。
【００２１】
図２（ｂ）は、ガラスカバー１１の正面に設けられた窓１１ａを介して視認される表示部の正面図である。
【００２２】
表示部は、種々の情報が表示された銘板１４と、この銘板１４の背後の本体前面に設けられた、１つの計量値表示窓１５を通して視認されるＬＣＤ（Ｌｉｑｕｉｄ　Ｃｒｙｓｔａｌ　Ｄｉｓｐｌａｙ：液晶表示装置）１６とから構成されている。銘板１４の下部には電子式電力量計１０の諸仕様が表示されており、異なる時間帯別に使用電力量を計量する計量機能および通信機能を備えた交流単相３線式の電力需給用複合計器であることが表示されている。
【００２３】
ＬＣＤ１６は、前述の計量手段によって計量された各時間帯の使用電力量の現在計量値、およびこの現在計量値を所定の時または所定のタイミング毎に確定して記憶した計量確定値を表示する表示手段を構成している。ＬＣＤ１６の左側下部には、計量時間帯を表示する時間帯表示箇所１６ａが設けられている。本実施形態においては、時間帯は昼間の時間帯１と夜間の時間帯２との２つに設定されており、時間帯表示箇所１６ａには数字の「１」または「２」が液晶表示される。時間帯表示箇所１６ａの左方の銘板１４上になされた「表示時間帯」の表記によって、「１」は時間帯１の表示、「２」は時間帯２の表示であることが認識される。
【００２４】
時間帯表示箇所１６ａの右方には、現在計量値表示箇所１６ｂ、および計量確定値表示箇所１６ｃが上下に区分されて設けられている。現在計量値表示箇所１６ｂは、各時間帯の使用電力量の現在までの使用累積値を現在計量値として表示する。計量確定値表示箇所１６ｃは、この現在計量値を例えば毎月１日の午前０時毎に確定して記憶した計量確定値を表示する。各計量値は、７セグメントから形成される６桁の数字によって〔ｋＷｈ〕単位の値で液晶表示される。従って、ＬＣＤ１６には、現在計量値と計量確定値とが組で同時に表示され、これら各組の表示は後述のように循環させられる。計量値表示窓１５に囲まれたＬＣＤ１６は、この組の複数の計量値が表示される１つの計量値表示部を構成している。
【００２５】
また、現在計量値表示箇所１６ｂには現在の日付、計量確定値表示箇所１６ｃには現在の時刻が組で同時に表示され、この組の表示は計量値の上記組の表示と共に循環させられる。なお、計量確定値表示箇所１６ｃに現在の日付、現在計量値表示箇所１６ｂに現在の時刻が表示される構成であってもよい。
【００２６】
また、時間帯表示箇所１６ａの上方には、電子式電力量計１０の動作状態を示す動作状態表示箇所１６ｄ、無計量状態表示箇所１６ｅ、および停電表示箇所１６ｆが設けられている。また、計量値表示窓１５の上方には、計器の精度を測定するための計量パルス表示部１７が設けられている。
【００２７】
このような構成において、ＬＣＤ１６における使用電力量の表示は、例えば、図３（ａ），（ｂ），（ｃ）に示すように行われる。まず、同図（ａ）に示すように、時間帯表示箇所１６ａに時間帯１を示す数字の「１」が表示される。これと同時に、現在計量値表示箇所１６ｂに時間帯１の現在計量値「１３．７５」〔ｋＷｈ〕、計量確定値表示箇所１６ｃに時間帯１の計量確定値「２．３１」〔ｋＷｈ〕が組で同時に表示される。次に、同図（ｂ）に示すように、時間帯表示箇所１６ａに時間帯２を示す数字の「２」が表示される。これと同時に、現在計量値表示箇所１６ｂに時間帯２の現在計量値「２１．６３」〔ｋＷｈ〕、計量確定値表示箇所１６ｃに時間帯２の計量確定値「１３．７４」〔ｋＷｈ〕が組で同時に表示される。続いて、同図（ｃ）に示すように、現在計量値表示箇所１６ｂに現在の日付７月２２日を示す「０７．２２」、計量確定値表示箇所１６ｃに現在の時刻１９時３２分を示す「１９：３２」が組で同時に表示される。以後、時間帯１の各計量値の組の表示、時間帯２の各計量値の組の表示、現在の日付および現在の時刻の組の表示の順で、各組の１通りの表示が循環される。各組の表示時間は、例えば、５秒、または１０秒、または１５秒ずつ等に設定される。なお、現在計量中の計量値の先頭には、同図（ｂ）の現在計量値「２１．６３」の頭部に示されるように、黒塗りの三角記号が表示される。
【００２８】
このような本実施形態による計量確定機能付電子式電力量計１０によれば、現在計量値と計量確定値とが組で各時間帯１，２毎に同時に表示されるため、各時間帯１，２の現在計量値と計量確定値とが１つずつ循環されて表示される従来の場合よりも、循環周期が短縮され、全ての計量値を１通り表示するのに要する時間は短くなる。従って、検針業務に要する時間は従来の約半分になり、検針者の負担は従来よりも軽減される。また、表示部分を別途設けることなく、１つのＬＣＤ１６によって、計量値の他に現在の日付および現在の時刻をも表示することが出来る。
【００２９】
なお、本実施形態においては、図３（ａ）に示される時間帯１の各計量値の組の表示、同図（ｂ）に示される時間帯２の各計量値の組の表示、同図（ｃ）に示される現在の日付および現在の時刻の組の表示の順で、各組の１通りの表示が循環される構成としたが、同図（ｄ）に示される、計量確定値の確定日「０７．１４」の計量確定値表示箇所１６ｃへの表示を循環表示の中に取り入れてもよい。なお、この際、確定日を現在計量値表示箇所１６ｂに表示する構成としてもよい。このような構成にすれば、表示部分を別途設けることなく、１つのＬＣＤ１６によって、上記各組の表示に加えて計量確定値の確定日をも表示することが出来る。従って、検針者は表示される計量確定値がいつ確定されたのかを、特別な操作をすることなく容易に認識することが出来る。また、反対に、循環される表示の組から、この確定日や現在の日付および現在の時刻の組の表示を除いてもよい。このように計量値ではない表示を除くことにより、循環周期はさらに短縮され、検針業務の負担はさらに軽減される。
【００３０】
また、本実施形態においては現在計量値と組で表示する他の計量値を計量確定値の１種類とした場合について説明したが、さらに他の計量値をこれら各計量値に加えて同時に表示することも可能である。この場合、ＬＣＤ１６に、追加する他の計量値の表示箇所を増やせば、各組の１通りの表示の循環周期を伸ばすことなく、さらなる他の計量値を１つのＬＣＤ１６において表示することが出来る。
【００３１】
また、本実施形態においては、１つの計量値表示窓１５に、時間帯、現在計量値および計量確定値を組で同時に表示する構成としたが、本発明はこれに限定されることはない。例えば、図１（ａ）に示した従来の計量確定機能付電力量計の時間帯表示窓２は時間帯が表示される時間帯表示部、計量値表示窓３は時間帯表示窓２に表示されている時間帯の現在計量値が表示される計量値表示部、現在時刻表示窓４は計量値表示窓３に表示される現在計量値と組をなす少なくとも１つの他の計量値が表示される計量値表示部として、表示手段を構成することも出来る。この場合、時間帯表示窓２に表示されている時間帯と、計量値表示窓３に表示されるこの時間帯の現在計量値と、現在時刻表示窓４に表示されるこの時間帯の計量確定値との組が同時に表示され、この組の表示が各時間帯毎に循環される。従って、このような構成においても上記実施形態と同様な作用・効果が奏され、時間帯数分の表示窓を設けなくてよいので、電力量計の製作にさほど手間を要さず、しかも、スペースの制約を受けることもない。
【００３２】
また、上記のように２つの計量値表示窓を備えた本発明による電力量計は、２つの表示窓のうちの一方を現在計量値の表示に用い、他方を現在の日付と現在の時刻との循環表示または現在の時刻の固定表示に用いることにより、計量確定機能を備えない他の仕様の電力量計に流用することが出来る。
【００３３】
【発明の効果】
以上説明したように本発明によれば、現在計量値と少なくとも１つの他の計量値とが組で各時間帯毎に同時に表示されるため、各時間帯の現在計量値と少なくとも１つの他の計量値とが１つずつ循環されて表示される場合よりも、循環周期が短縮され、全ての計量値を１通り表示するのに要する時間は短くなる。従って、検針業務に要する時間は短くなり、検針者の負担は従来よりも軽減される。また、表示する計量項目を増やしても、その分、組で同時に表示する計量値を増やせば、循環表示の周期は変わらず、検針業務の負担は軽減されたままになる。また、計量時間帯数分の表示窓を設けなくてよいので、電力量計の製作にさほど手間を要さず、しかも、スペースの制約を受けることもない。同時に、液晶表示装置等の表示装置の大きさも小さなものとなり、製作コストを抑えることが出来る。
【図面の簡単な説明】
【図１】（ａ）は従来の計量確定機能付電力量計の表示部の正面図であり、（ｂ），（ｃ），（ｄ）は（ａ）に示された表示窓に循環表示される計量値の具体的な例を示す図である。
【図２】（ａ）は本発明の一実施形態による計量確定機能付電子式電力量計の外観を示す正面図であり、（ｂ）はその表示部の正面図である。
【図３】図２に示す表示窓に循環表示される現在計量値および計量確定値の組の具体的な例を示す図である。
【符号の説明】
１０…計量確定機能付電子式電力量計
１１…ガラスカバー
１２…端子盤
１４…銘板
１６…ＬＣＤ（液晶表示装置）
１６ａ…時間帯表示箇所
１６ｂ…現在計量値表示箇所
１６ｃ…計量確定値表示箇所
【図１】
2004037142.tif 000003
【図２】
2004037142.tif 000004
【図３】
2004037142.tif 000005